(57)【特許請求の範囲】
【請求項１】
ネクタイ結び目を前方に押し上げて保持するネクタイ結び目の保持具であり、ネクタイ結び目を下方から押し上げて保持する支え部と、保持具をワイシャツの第２以降のボタンおよび／または第１ボタンより下方の前立て部分に係止させるための係止部を有することを特徴とするネクタイ結び目の保持具。
【請求項２】
前記係止部が、前記支え部の基部より下方に延設され、ワイシャツの第１ボタンより下方のボタンに係止する手段を有することを特徴とする、請求項１記載のネクタイ結び目の保持具。
【請求項３】
前記係止部が、前記支え部の基部より下方に延設され、ワイシャツの第１ボタン孔と第２ボタン孔との間の前立て部分の表地に設けられたスリットに挿入可能であることを特徴とする、請求項１記載のネクタイ結び目の保持具。
【請求項４】
前記係止部が、前記支え部の基部より下方に延設され、ワイシャツの第１ボタン孔と第２ボタン孔との間に貼付された面ファスナーに貼り合わせられる面ファスナーが前記係止部の裏面に貼付されていることを特徴とする、請求項１記載のネクタイ結び目の保持具。
【請求項５】
前記支え部が、ネクタイ結び目の当接面に、支え部とネクタイとのずれを防止するための滑り止めを有する、請求項１〜４のいずれか１項に記載のネクタイ結び目の保持具。
【発明の詳細な説明】
【技術分野】
【０００１】
本発明は、ネクタイ結び目をワイシャツの両襟の中央上部に密着させ美しく保持するためのネクタイ結び目の保持具に関する。
【背景技術】
【０００２】
ネクタイ結び目をワイシャツの両襟の中央上部に密着させ美しく保持するために、ネクタイをきつく締め上げる、あるいは結び目が大きくなる結び方にする、などの方法が取られている。しかし、きつく締めても時間がたつと、ネクタイ自体の重みで結び目が襟の下部にずり落ち、襟台（首周り）と密着せず隙間を生じてしまうことが防止できない。また、結び目が大きくなる結び方にすると、結び目のかたちが太くなり、スマートさや美しさに欠けると感じる人もいるし、ネクタイが細い場合には結び目を十分な大きさにできないこともある。
【０００３】
ネクタイは絹で作られていることが多いため布地表面が滑りやすく、また古いネクタイや芯の柔らかいネクタイは直線的に首から垂れ下がる傾向があるため、特に、次のような問題が生じやすい。
(1)ネクタイ結び目の厚みがワイシャツの襟の高さより小さい場合、ネクタイ結び目がネクタイの重みで下方に引っ張られ、襟の上部からずり落ち、見栄えがしない。
(2)ネクタイ結び目が下方に引っ張られることにより、結び目の奥面が上方を向いてしまってワイシャツの襟台との間に角度の開きを生じて隙間ができ、見栄えがしない。
【０００４】
従来より、ネクタイ結び目をワイシャツに合わせ美しく保持するために、種々のネクタイ保持具が提案されている。例えば、特許文献１〜３に提案されているネクタイ保持具を挙げることができる。
しかし、特許文献１〜３のネクタイ保持具は、いずれも、喉近辺のワイシャツの第１ボタンに取り付けるものであるため、着脱が容易ではなかった。また、特許文献１及び２のネクタイ保持具は、横から見ると該保持具の装着がわかり、外観上違和感があった。さらに、特許文献１〜３のネクタイ保持具は、いずれも、ワイシャツの第１ボタンを外した状態では効果を発揮できないなどの問題点があった。
【先行技術文献】
【特許文献】
【０００５】
【特許文献１】実開昭６３−１７０４２１号公報
【特許文献２】実開昭６１−１９９５１５号公報
【特許文献２】実開昭５５−０１５２３０号公報
【発明の概要】
【発明が解決しようとする課題】
【０００６】
本発明の目的は、上記の従来技術の問題点を解決し、ネクタイ結び目をワイシャツの両襟の中央上部に密着させ美しく保持することができるネクタイ結び目の保持具を提供することにある。
【課題を解決するための手段】
【０００７】
本発明は、ネクタイ結び目を前方に押し上げて保持するネクタイ結び目の保持具であり、ネクタイ結び目を下方から押し上げて保持する支え部と、保持具をワイシャツの第２以降のボタンおよび／または第１ボタンより下方の前立て部分に係止させるための係止部を有することを特徴とするネクタイ結び目の保持具を提供することにより、前記目的を達成したものである。
【発明の効果】
【０００８】
本発明のネクタイ結び目の保持具は、下記効果を有する。
ネクタイ結び目がずり落ちることを防ぎ、ネクタイ結び目を前方斜め上に押し上げるので、ネクタイをきつく締め上げる必要がなく、ネクタイを中心とするＶゾーンをきちんと整えそれを保つ効果がある。
ワイシャツの第１ボタンに取り付けるものではなく、ワイシャツの第１ボタンより下方に取り付けるものであるため、着脱が容易である。
ワイシャツの第１ボタンを外した状態でも着用可能であり、ネクタイをきつく締めない状態でも、ネクタイ結び目を美しく保つことができる。
構造が非常にシンプルであるため、大量生産が容易にできる。
本発明のネクタイ結び目の保持具によれば、容易にネクタイ結び目をきちんと保つことができ、好印象を与える服装が求められるホテルマン、セールスマン、タクシー運転手などの営業職をはじめ、身だしなみに気を配るビジネスマン、政治家、アナウンサーなど多くの人の間で、新たな需要を生み出すものである。
【図面の簡単な説明】
【０００９】
【図１】本発明のネクタイ結び目の保持具の第一実施形態の斜視図である。
【図２】図１に示す第一実施形態の保持具を装着した状態を示す側面図である。
【図３】本発明のネクタイ結び目の保持具の第二実施形態の斜視図である。
【図４】本発明のネクタイ結び目の保持具の第三実施形態の斜視図である。
【図５】本発明のネクタイ結び目の保持具の第四実施形態の斜視図であり、図５（ａ）は第四実施形態を構成する保持具本体の斜視図、図５（ｂ）は保持具本体の長さを調整するための調整板の斜視図、図５（ｃ）は保持具本体に調整板を取り付けた状態の斜視図、図５（ｄ）は第四実施形態の保持具が装着されるスリットが設けられたワイシャツの要部の斜視図である。
【図６】第四実施形態の図２相当図である。
【図７】本発明のネクタイ結び目の保持具の第五実施形態の斜視図であり、図７（ａ）は第五実施形態を構成する保持具本体の斜視図、図７（ｂ）は第五実施形態の保持具が装着される面ファスナーが貼付されたワイシャツの要部の斜視図である。
【図８】第五実施形態の図２相当図である。
【図９】本発明のネクタイ結び目の保持具の第六実施形態の斜視図であり、図９（ａ）は第六実施形態を構成する保持具本体の斜視図、図９（ｂ）は保持具本体における支え部と湾曲部との角度を固定するための面ファスナーの斜視図である。
【図１０】本発明のネクタイ結び目の保持具の第七実施形態の斜視図であり、図１０（ａ）は第七実施形態を構成する係止板及び湾曲部の斜視図、図１０（ｂ）は第七実施形態を構成する支え部の斜視図である。
【発明を実施するための形態】
【００１０】
以下、本発明のネクタイ結び目の保持具の好ましい実施形態を、図面を参照しながら説明する。
【００１１】
まず、図１及び図２に示す第一実施形態について説明する。図１は、第一実施形態の斜視図であり、図２は、第一実施形態の装着状態を示す側面図である。
第一実施形態のネクタイ結び目の保持具１は、ネクタイ結び目を４５度程度の傾きに下方から押し上げて保持する支え部２と、保持具１をワイシャツの第２以降のボタンに係止させるための係止部３と、支え部２と係止部３との間に配設された湾曲部４とから構成されている。
係止部３は、支え部２の基部より湾曲部４を介して下方に延設された係止板３１からなる。係止板３１は、ワイシャツの第２以降のボタンに係止するための横方向の切れ目５、６及び７並びに縦方向の切れ目８を有する。横方向の切れ目５、６及び７の先端上側には、ワイシャツの第２以降のボタンに係止するための切り欠き５ａ、６ａ、７ａがそれぞれ形成されている。縦方向の切れ目８は、第３以降のボタンに係止し保持具１の左右の移動を防ぐため設けられている。
湾曲部４は、ネクタイ結び目の奥まで達するように、喉元の湾曲に合わせた形状に形成されている。
【００１２】
支え部２、係止部３、及び湾曲部４は、プラスチックにより一体的に成形されており、その厚みは特に制限されるものではないが、強度等を考慮すると０．５ｍｍ程度にするとよい。保持具の成形材料は、保形性を有する素材であれば特に制限されるものではないが、成形性、軽量性、経済性などの点からプラスチックが好ましい。
なお、本実施形態では、係止板３１に、横方向の切れ目が３本及び縦方向の切れ目が１本設けられているが、切れ目の本数は本実施形態のものに限定されるものではなく、ネクタイ結び目の厚みに合わせて支え部２の高さを調整するために１本以上の切れ目を備えていればよく、また縦方向の切れ目８は設けなくてもよい。また、横方向の切れ目は、必ずしも本実施形態のように同一方向のみから切れ目を入れる必要はなく、左右方向から交互に切れ目を入れてもよい。さらに切れ目を入れるかわりに、係止板３１に楕円形の穴を開けてボタンに係止する方法でもよい。
【００１３】
第一実施形態のネクタイ結び目の保持具１をワイシャツに装着する好ましい手順を説明する。図２に示すように、ネクタイ９を締めた後に、保持具１を、係止板３１の横方向の切れ目５、６及び７のいずれかを介してワイシャツの第２ボタン１０に係止させる。第２ボタン１０に係止させる横方向の切れ目は、湾曲部４がネクタイ９の結び目の奥まで入り、ネクタイ結び目がワイシャツの両襟の中央上部に密着した状態を保持できるような切れ目を、切れ目５、６及び７から選択する。ネクタイ９の結び目の厚みが大きい時は切れ目（上）５を選択し、厚みが小さい時は切れ目（下）７を選択し、厚みが中間の時は切れ目（中）６を選択するとよい。横方向の切れ目に設けられた切り欠き（５ａ、６ａ、７ａ）にワイシャツの第２ボタン１０の留糸を掛けた上で、縦方向の切れ目８をワイシャツの第３ボタン１１に挿入し、保持具１を動かないように固定する。
このように第一実施形態において、本保持具はネクタイ結び目の厚みに関わらず結び目をワイシャツの両襟の中央上部に密着させた状態を保持することができる。
なお、ワイシャツのボタンの留糸に余裕を持たせたり、伸縮性の高い繊維を使うことにより、係止板３１の切れ目の挿入を容易にすることができる。
【００１４】
次に、図３に示す第二実施形態について説明する。図３は第二実施形態の斜視図である。なお、第二実施形態の説明に当たって、前記第一実施形態と同一構成部分には同一符号を付して重複する説明を省略する。後述する第三以降の実施形態の説明に当たっても同様である。
【００１５】
第二実施形態において、前記第一実施形態と異なる点は、前記第一実施形態における縦方向の切れ目８が係止板３１に設けられておらず、図３に示すように、湾曲部４の左右の側部より、首の湾曲に合わせて上方に伸びる一対の止め板１２、１２を有し、それぞれがネクタイとワイシャツの襟台（首周り部分）との間に挿入され、保持具１の左右の移動を防ぐ機能をはたすことである。
第二実施形態のネクタイ結び目の保持具は、前記第一実施形態と同様な作用効果が得られるのに加えて、第１ボタンを外した状態で保持具を使用した場合でも、止め板の作用で保持具がネクタイ結び目の中心からずれないという効果がある。
【００１６】
第二実施形態のネクタイ結び目の保持具１をワイシャツに装着する好ましい手順を説明する。締めたネクタイを少し緩め、ネクタイとワイシャツの襟台（首周り部分）との間に左右の止め板１２を挿入した上で、第一実施形態の保持具を装着する場合と同様にネクタイ結び目の厚みに合う適切な切れ目を選択し、その切れ目から保持具１をワイシャツの第２ボタン１０に挿入して挟み、該切れ目に設けられた切り欠きにワイシャツの第２ボタン１０の留糸を掛け固定する。
【００１７】
次に、図４に示す第三実施形態について説明する。図４は第三実施形態の斜視図である。
第三実施形態において、前記第一実施形態と異なる点は、図４に示すように、支え部２の先端にネジ止め用孔（図示せず）を有し、該ネジ止め用孔に、キャップ付きネジ１３が装着されている点である。キャップ付きネジ１３は、ネジ止め用孔への挿入程度により、ネクタイ結び目の角度を自在に調整し、ネクタイを強調して見せる機能を有する。ネジ１３を緩めてキャップの位置を高くすると、ネクタイ結び目が前方上方に上がり、水平方向に近づき、ネジ１３を締めてキャップの位置を低くすると、ネクタイ結び目が垂直方向に近づく。本実施形態では、支え部２及び湾曲部４に強度や弾性を付与するために、支え部２及び湾曲部４の厚みを厚く成形している。
第三実施形態のネクタイ結び目の保持具は、前記第一実施形態と同様な作用効果が得られるのに加えて、ネクタイ結び目の角度を調節し、ネクタイの見せ方を変えられるという効果がある。
【００１８】
第三実施形態のネクタイ結び目の保持具１をワイシャツに装着する好ましい手順を説明する。ネクタイ９を締めた後に、第一実施形態の保持具を装着する場合と同様に適切な高さの切れ目を選択し、その切れ目をワイシャツの第２ボタン１０に挿入して挟み、該切れ目に設けられた切り欠きにワイシャツの第２ボタン１０の留糸を掛けた上で、縦方向の切れ目８をワイシャツの第３ボタン１１に挿入し、保持具１を動かないように固定する。次に、支え部２の先端に装着されたキャップ付きネジ１３でキャップの高さを調節して、ネクタイ結び目の角度を調整する。
【００１９】
次に、図５及び図６に示す第四実施形態について説明する。図５は、第四実施形態の斜視図であり、図５（ａ）は第四実施形態を構成する保持具本体の斜視図、図５（ｂ）は保持具本体の長さを調整するための調整板の斜視図、図５（ｃ）は保持具本体に調整板を取り付けた状態の斜視図、図５（ｄ）は第四実施形態の保持具が装着されるワイシャツの要部の斜視図である。図６は、第四実施形態の装着状態を示す側面図である。
【００２０】
第四実施形態のネクタイ結び目の保持具１は、ネクタイ結び目を４５度程度の傾きに下方から押し上げて保持する支え部２と、保持具１をワイシャツの第１ボタン孔と第２ボタン孔との間に係止させるための係止部３と、支え部２と係止部３との間に配設された湾曲部４とからなる保持具本体と、保持具本体に嵌着されて保持具本体の長さを調整するための調整板１４とから構成されている。
図５（ａ）に示すように、係止部３は、支え部２の基部より湾曲部４を介して下方に延設された係止板３１からなる。係止板３１には、調整板１４を嵌着するための突起３１ａが縦方向に複数個設けられている。
湾曲部４は、ネクタイ結び目の奥まで達するように、喉元の湾曲に合わせた形状に形成されている。
図５（ｂ）に示すように、調整板１４には、係止板３１の突起３１ａに嵌めて調整板１４を係止板３１に嵌着するための孔１４ａが縦方向に複数個設けられている。
【００２１】
第四実施形態のネクタイ結び目の保持具１が装着されるワイシャツは、図５（ｄ）に示すように、第１ボタン孔１５と第２ボタン孔１６との間の前立て部分の表地に、保持具１の係止板３１及び該係止板に嵌着された調整板１４を挿入するためのスリット１７が設けられたものである。図５（ｄ）に示すワイシャツでは、スリット１７が横方向の直線状に設けられているが、スリットの形状は、保持具１の係止板３１及び調整板１４を挿入し得るものであれば特に制限されるものではなく、例えば、スリットをＶ字状に設けてもよい。
第四実施形態のネクタイ結び目の保持具は、前記第一実施形態と同様な作用効果が得られるのに加えて、保持具をワイシャツのボタンに係止させるものではなく、保持具をワイシャツに設けたスリットに挿入して係止させるものであるため、保持具の着脱が一層容易であるという効果がある。
【００２２】
第四実施形態のネクタイ結び目の保持具１を、図５（ｄ）に示すスリット１７が設けられたワイシャツに装着する好ましい手順を説明する。ネクタイ９を締めた後に、図５（ｃ）に示すように保持具本体に調整板１４を取り付けた保持具１を、図６に示すように、ワイシャツのスリット１７に調整板１４を下にして挿入し、該調整板１４の下端をかがり縫い等された第２ボタン孔１６の上端に当接させて係止させる。ネクタイ結び目がワイシャツ両襟の中央上部に密着するように、調整板１４の孔１４ａを嵌める係止板３１の突起３１ａを選択する。
【００２３】
次に、図７及び図８に示す第五実施形態について説明する。図７は、第五実施形態の斜視図であり、図７（ａ）は第五実施形態を構成する保持具本体の斜視図、図７（ｂ）は第五実施形態の保持具が装着されるワイシャツの要部の斜視図である。図８は、第五実施形態の装着状態を示す側面図である。
【００２４】
第五実施形態のネクタイ結び目の保持具１は、ネクタイ結び目を４５度程度の傾きに下方から押し上げて保持する支え部２と、保持具１をワイシャツの第１ボタン孔と第２ボタン孔との間に係止させるための係止部３と、支え部２と係止部３との間に配設された湾曲部４とから構成されている。
図７（ａ）に示すように、係止部３は、支え部２の基部より湾曲部４を介して下方に延設された係止板３１からなる。係止板３１には、その裏面にマジックテープ（登録商標）などの面ファスナー１８が貼付されている。
湾曲部４は、ネクタイ結び目の奥まで達するように、喉元の湾曲に合わせた形状に形成されている。
また、支え部２には、ネクタイ結び目との当接面に、支え部２とネクタイとのずれを防止するための滑り止め１９が貼付されている。
【００２５】
第五実施形態のネクタイ結び目の保持具１が装着されるワイシャツは、図７（ｂ）に示すように、第１ボタン孔１５と第２ボタン孔１６との間の前立て部分の表地に、保持具１の係止板３１の裏面の面ファスナー１８と一対の面ファスナー１８’が貼付又は縫付けされたものである。
第五実施形態のネクタイ結び目の保持具は、前記第一実施形態と同様な作用効果が得られるのに加えて、保持具を面ファスナーにより着脱させるものであるため、ネクタイ結び目の厚みに応じ容易かつ自在に保持具の位置を調節できるという効果がある。
【００２６】
第五実施形態のネクタイ結び目の保持具１を、図７（ｂ）に示す面ファスナー１８’が貼付されたワイシャツに装着するには、ネクタイ９を締めた後に、保持具１を、図８に示すように、湾曲部４がネクタイ９の結び目の奥まで入り、ネクタイ結び目がワイシャツの両襟の中央上部に密着した状態を保持できるように係止板３１の裏面の面ファスナー１８を、ワイシャツに貼付された面ファスナー１８’に貼り合わせて係止させればよい。
【００２７】
次に、図９に示す第六実施形態について説明する。図９は、第六実施形態の斜視図であり、図９（ａ）は第六実施形態を構成する保持具本体の斜視図、図９（ｂ）は保持具本体における支え部の湾曲部に対する角度を固定するための面ファスナーの斜視図である。
【００２８】
第六実施形態のネクタイ結び目の保持具１は、ネクタイ結び目を下方から押し上げて保持する支え部２と、保持具１をワイシャツの第１ボタン孔と第２ボタン孔との間に係止させるための係止部３と、支え部２と係止部３との間に配設された湾曲部４とからなる保持具本体と、該保持具本体における支え部の湾曲部に対する角度を固定するための面ファスナー２０とから構成されている。また面ファスナー２０には、ネクタイ結び目との当接面に、支え部２とネクタイとのずれを防止するための滑り止め１９を貼付してもよい。
【００２９】
図９（ａ）に示すように、係止部３は、支え部２の基部に嵌合される湾曲部４を介して下方に延設された係止板３１からなる。係止板３１には、その裏面にマジックテープ（登録商標）などの面ファスナー２１が貼付されている。
湾曲部４は、ネクタイ結び目の奥まで達するように、喉元の湾曲に合わせた形状に形成されており、その端縁部を、支え部２の基部に嵌挿される軸体４ａとなしてある。湾曲部４には、その裏面にマジックテープ（登録商標）などの面ファスナー２２が貼付されている。
また、支え部２は、その基部を屈曲して、湾曲部４の軸体４ａを嵌合する筒状体２ａとなしてある。支え部２の上面にも、マジックテープ（登録商標）などの面ファスナー２３が貼付されている。
【００３０】
第六実施形態のネクタイ結び目の保持具１は、湾曲部４の軸体４ａが嵌挿された筒状体２ａを中心として、支え部２の先端が上下方向に動くため、支え部２と湾曲部４との角度を適宜調整することにより、ネクタイ結び目の角度を調節することができる。
支え部２と湾曲部４との角度の固定は、図９（ｂ）に示すようなマジックテープ（登録商標）などの面ファスナー２０を、湾曲部４の裏面に貼付した面ファスナー２２及び支え部２の上面に貼付した面ファスナー２３の上に被せて貼り合わせることにより固定される。上記の面ファスナー２０は、面ファスナー２２及び面ファスナー２３と対をなすものである。
【００３１】
第六実施形態のネクタイ結び目の保持具１が装着されるワイシャツは、第五実施形態の保持具が装着されるワイシャツと同様、第１ボタン孔と第２ボタン孔との間の前立て部分の表地に、保持具１の係止板３１の裏面の面ファスナー２１と一対の面ファスナーが貼付又は縫付けされたものである。
第六実施形態のネクタイ結び目の保持具は、前記第五実施形態と同様な作用効果が得られるのに加えて、支え部２と湾曲部４との角度を適宜調整することができるため、ネクタイ結び目の角度を調節し、ネクタイの見せ方を変えられるという効果がある。
【００３２】
第六実施形態のネクタイ結び目の保持具１を、ワイシャツに装着する好ましい手順を説明する。まず、所望のネクタイ結び目の角度に合わせて、支え部２と湾曲部４との角度を調整し、面ファスナー２０を用いて上述したように支え部２と湾曲部４との角度を固定する。そして、前記第五実施形態の場合と同様に、係止板３１の裏面の面ファスナー２１を、ワイシャツに貼付又は縫付けされた面ファスナーに貼り合わせ、保持具１を係止させればよい。
【００３３】
次に、図１０に示す第七実施形態について説明する。図１０は、第七実施形態の斜視図であり、図１０（ａ）は第七実施形態を構成する係止板及び湾曲部の斜視図、図１０（ｂ）は第七実施形態を構成する支え部の斜視図である。
【００３４】
第七実施形態のネクタイ結び目の保持具は、ネクタイ結び目を下方から押し上げて保持する支え部２と、保持具をワイシャツの第１ボタン孔と第２ボタン孔との間に係止させるための係止部３と、支え部２と係止部３との間に配設された湾曲部４とからなる保持具本体と、該保持具本体における支え部２と湾曲部４との角度を固定するための面ファスナー（図示せず）とから構成されている。
【００３５】
図１０（ａ）に示すように、係止部３は、支え部２の基部に嵌合される湾曲部４を介して下方に延設された係止板３１からなる。係止板３１には、その裏面にマジックテープ（登録商標）などの面ファスナー２１が貼付されている。
湾曲部４は、ネクタイ結び目の奥まで達するように、喉元の湾曲に合わせた形状に形成されており、その端縁部の一端から中央に円周面が接合された軸体２４が形成されている。該軸体２４の端面の中央には、軸体２４の径より小さい径の細軸２５が形成されている。湾曲部４には、その裏面にマジックテープ（登録商標）などの面ファスナー２２が貼付されている。
【００３６】
また、図１０（ｂ）に示すように、支え部２は、その基部の一端から中央を、湾曲部４の細軸２５が嵌挿される円筒体２６となしてある。支え部２の上面にも、マジックテープ（登録商標）などの面ファスナー２３が貼付されている。
【００３７】
第七実施形態のネクタイ結び目の保持具１は、湾曲部４の細軸２５に嵌合した円筒体２６を中心として、支え部２の先端が上下方向に動くため、支え部２と湾曲部４との角度を適宜調整することにより、ネクタイ結び目の角度を調節することができる。
支え部２と係止板３１との角度の固定は、第六実施形態の場合と同様に、図９（ｂ）に示すようなマジックテープ（登録商標）などの面ファスナー２０を、湾曲部４の裏面に貼付した面ファスナー２２及び支え部２の上面に貼付した面ファスナー２３の上に被せて貼り合わせればよい。
【００３８】
第七実施形態のネクタイ結び目の保持具１が装着されるワイシャツは、第五実施形態や第六実施形態の保持具が装着されるワイシャツと同様、第１ボタン孔と第２ボタン孔との間の前立て部分の表地に、保持具１の係止板３１の裏面の面ファスナー２１と一対の面ファスナーが貼付又は縫付けされたものである。
第七実施形態のネクタイ結び目の保持具は、前記第六実施形態と同様な作用効果が得られる。
第七実施形態のネクタイ結び目の保持具１のワイシャツへの好ましい装着手順は、前記第六実施形態の場合と同様である。
【００３９】
本発明のネクタイ結び目の保持具は、前記実施形態に限定されるものではなく、本発明の効果を損なわない範囲で前記実施形態の組合せ又は種々の変更が可能である。
例えば、第五実施形態のネクタイ結び目の保持具に限らず、保持具の支え部のネクタイ結び目の当接面には、支え部２とネクタイとのずれを防止するための滑り止めを貼付してもよい。第六又は第七実施形態の面ファスナーによる支え部の角度調節の仕組を第一、第二、第四実施形態と組合わせることもできる。
また、第四実施形態の調整板は突起により保持具本体に嵌着されているが、面ファスナーを両者に貼付し保持具が適切な長さになるように貼り合わせることもできる。保持具をワイシャツと違和感なく一体化させ、装着していることを容易に気付かれないようにするために、係止板の表面をワイシャツと同じ布地で覆う、又は成型材料とワイシャツを同じ色のものにすることも可能であり、さらに係止部の厚みを左右の端部で薄くなるよう傾斜をつけることもできる。
【符号の説明】
【００４０】
１    ネクタイ結び目の保持具
２    支え部
３    係止部
３１  係止板
４    湾曲部
５，６，７，８  切れ目（ボタンに係止する手段）
９    ネクタイ結び目（ネクタイ）
１５  第１ボタン孔
１６  第２ボタン孔
１７  スリット
１８，１８’，２０，２１，２２，２３  面ファスナー
１９  滑り止め
【要約】
【課題】ネクタイ結び目をワイシャツの両襟の中央上部に密着させ美しく保持することができるネクタイ結び目の保持具を提供すること。
【解決手段】ネクタイ結び目を前方に押し上げて保持するネクタイ結び目の保持具であり、ネクタイ結び目を下方から押し上げて保持する支え部（２）と、保持具をワイシャツの第２以降のボタンおよび／または第１ボタンより下方の前立て部分に係止させるための係止部（３）を有することを特徴とするネクタイ結び目の保持具（１）。
【選択図】図７【図１】
0005145481.tif 000002
【図２】
0005145481.tif 000003
【図３】
0005145481.tif 000004
【図４】
0005145481.tif 000005
【図５】
0005145481.tif 000006
【図６】
0005145481.tif 000007
【図７】
0005145481.tif 000008
【図８】
0005145481.tif 000009
【図９】
0005145481.tif 000010
【図１０】
0005145481.tif 000011